(57)【要約】【課題】反射型表示機能及び透過型表示機能の両方を備えたアクティブマトリックス駆動方式の液晶表示装置に好適な構造の画素回路を備えた電気光学装置を提供する。【解決手段】画素回路１００を、透過表示用電極１０００と、第１〜第６の画素トランジスタ１００１〜１００３及び１１０３〜１１０５と、を含んだ構成とし、第１〜第６の画素トランジスタ１００１〜１００３及び１１０３〜１１０５の各ソースには、これらのトランジスタに共通のデータ線２００を接続し、第１の画素トランジスタ１００１及び第４の画素トランジスタ１１０３の各ゲートには、これらに共通の走査線３００を接続し、第２の画素トランジスタ１００２及び第５の画素トランジスタ１１０４の各ゲートには、これらに共通の走査線３０１が接続し、第３のトランジスタ１００３及び第６のトランジスタ１１０５の各ゲートには、これらに共通の走査線３０２が接続された構成となっている。【選択図】      図２
2005115139.tif 000002
【特許請求の範囲】
【請求項１】
画素回路がマトリクス状に配列された画素マトリクスと、
前記画素マトリクスに対応する遮光素子と、
前記画素マトリクスの行方向及び列方向のうち一方に沿って配列された画素回路群にそれぞれ接続する複数の走査線と、
前記画素マトリクスの行方向及び列方向のうち他方に沿って配列された画素回路群にそれぞれ接続する複数のデータ線と、
前記複数の走査線に接続し且つ前記画素マトリクスの１つの行及び列のいずれかを順次選択する走査線駆動回路と、
表示画像データに基づき前記画素回路を制御する制御信号を生成し、当該生成した制御信号を前記複数のデータ線のうち少なくとも１つのデータ線に供給するデータ線駆動回路と、
前記遮光素子の表面側から入射された入射光を反射する入射光反射手段と、
カラー画像を表示するための、原色となる複数色のそれぞれに対応した原色光を発光する自己発光型の光源と、を備え、
前記入射光反射手段によって反射された光によって前記遮光素子を介した画像表示が可能で、且つ、前記光源により前記遮光素子の裏面側から入射した光によって前記遮光素子を介した画像表示が可能な電気光学装置であって、
前記画素回路は、
前記複数色ある原色の各原色毎にそれぞれ区画して設けられた、前記遮光素子に前記制御信号に応じた電圧を印加する複数の反射表示用電極と、当該複数の反射表示用電極にそれぞれ対応して設けられた、前記反射表示用電極に前記制御信号を供給するための複数の第１のトランジスタと、を含んで成る第１の画素構成部と、
前記遮光素子に前記制御信号に応じた電圧を印加する透過表示用電極と、当該透過表示用電極に前記制御信号を供給するための、前記複数の第１のトランジスタのそれぞれに一対一に対応して設けられた、複数の第２のトランジスタと、を含んで成る第２の画素構成部と、を含んだ構成となっており、
前記第１のトランジスタ及び前記第２のトランジスタにおける、それぞれの信号入力端子に前記走査線が接続されるようになっており、
前記第１のトランジスタ及び前記第２のトランジスタにおける、それぞれの電流入力端子に前記データ線が接続されるようになっており、
前記画素マトリクスの前記複数の走査線にそれぞれ対応する各行又は各列における前記画素回路群の、前記複数の第１のトランジスタ及び前記複数の第２のトランジスタにおける、それぞれ、前記第１のトランジスタの信号入力端子及び当該第１のトランジスタに一対一に対応した前記第２のトランジスタの信号入力端子に、前記複数の走査線のうち共通の走査線を接続したことを特徴とする電気光学装置。
【請求項２】
前記画素マトリクスの前記複数のデータ線にそれぞれ対応する各行又は各列における前記画素回路群の、前記複数の第１のトランジスタのそれぞれの電流入力端子及び前記複数の第２のトランジスタのそれぞれの電流入力端子に、前記複数のデータ線のうち共通のデータ線を接続したことを特徴とする請求項１記載の電気光学装置。
【請求項３】
画素回路がマトリクス状に配列された画素マトリクスと、
前記画素マトリクスに対応する遮光素子と、
前記画素マトリクスの行方向及び列方向のうち一方に沿って配列された画素回路群にそれぞれ接続する複数の走査線と、
前記画素マトリクスの行方向及び列方向のうち他方に沿って配列された画素回路群にそれぞれ接続する複数のデータ線と、
前記複数の走査線に接続し且つ前記画素マトリクスの１つの行及び列のいずれかを順次選択する走査線駆動回路と、
表示画像データに基づき前記画素回路を制御する制御信号を生成し、当該生成した制御信号を前記複数のデータ線のうち少なくとも１つのデータ線に供給するデータ線駆動回路と、
前記遮光素子の表面側から入射された入射光を反射する入射光反射手段と、
カラー画像を表示するための、原色となる複数色のそれぞれに対応した原色光を発光する自己発光型の光源と、を備え、
前記入射光反射手段によって反射された光によって前記遮光素子を介した画像表示が可能で、且つ、前記光源により前記遮光素子の裏面側から入射した光によって前記遮光素子を介した画像表示が可能な電気光学装置であって、
前記画素回路は、
前記複数色ある原色の各原色毎にそれぞれ区画して設けられた、前記遮光素子に前記制御信号に応じた電圧を印加する複数の反射表示用電極と、当該複数の反射表示用電極にそれぞれ対応して設けられた、前記反射表示用電極に前記制御信号を供給するための複数の第１のトランジスタと、を含んで成る第１の画素構成部と、
前記遮光素子に前記制御信号に応じた電圧を印加する透過表示用電極と、当該透過表示用電極に前記制御信号を供給するための、前記複数の第１のトランジスタのそれぞれに一対一に対応して設けられた、複数の第２のトランジスタと、を含んで成る第２の画素構成部と、を含んだ構成となっており、
前記第１のトランジスタ及び前記第２のトランジスタにおける、それぞれの信号入力端子に前記走査線が接続されるようになっており、
前記第１のトランジスタ及び前記第２のトランジスタにおける、それぞれの電流入力端子に前記データ線が接続されるようになっており、
前記画素マトリクスの前記複数の走査線にそれぞれ対応する各行又は各列における前記画素回路群の、前記複数の第１のトランジスタのそれぞれの電流入力端子及び前記複数の第２のトランジスタのそれぞれの電流入力端子に、前記複数のデータ線のうち共通のデータ線を接続したことを特徴とする電気光学装置。
【請求項４】
前記遮光素子への印加電圧を保持する電圧保持手段を前記各第１のトランジスタ毎にそれぞれ設け、前記電圧保持手段を複数の前記第２のトランジスタに共通して設けたことを特徴とする請求項１乃至請求項３のいずれか１項に記載の電気光学装置。
【請求項５】
前記第１の画素構成部においては、前記カラー画像を表示する１フレームの期間内において、前記データ線駆動回路により、前記複数色ある原色の各色毎に対応した表示画像データに係る前記制御信号の供給を、前記複数の第１のトランジスタに対してそれぞれ各色毎に順番に時分割で行うことで、前記カラー画像の色表現を行い、
前記第２の画素構成部においては、前記カラー画像を表示する１フレームの期間内において、前記データ線駆動回路により、前記複数色ある原色の各色毎に対応した表示画像データに係る前記制御信号の供給を、前記複数の第２のトランジスタに対してそれぞれ各色毎に順番に時分割で行うと共に、前記光源による各原色光の発光を、前記各色毎に対応した前記制御信号の供給に合わせて時分割に切り替えることで、前記カラー画像の色表現を行うようになっていることを特徴とする請求項１乃至請求項３のいずれか１項に記載の電気光学装置。
【請求項６】
画素回路がマトリクス状に配列された画素マトリクスと、
前記画素マトリクスに対応する遮光素子と、
前記画素マトリクスの行方向及び列方向のうち一方に沿って配列された画素回路群にそれぞれ接続する複数の走査線と、
前記画素マトリクスの行方向及び列方向のうち他方に沿って配列された画素回路群にそれぞれ接続する複数のデータ線と、
前記複数の走査線に接続し且つ前記画素マトリクスの１つの行及び列のいずれかを順次選択する走査線駆動回路と、
表示画像データに基づき前記画素回路を制御する制御信号を生成し、当該生成した制御信号を前記複数のデータ線のうち少なくとも１つのデータ線に供給するデータ線駆動回路と、
前記遮光素子の表面側から入射された入射光を反射する入射光反射手段と、
カラー画像を表示するための、原色となる複数色のそれぞれに対応した原色光を発光する自己発光型の光源と、を備え、
前記入射光反射手段によって反射された光によって前記遮光素子を介した画像表示が可能で、且つ、前記光源により前記遮光素子の裏面側から入射した光によって前記遮光素子を介した画像表示が可能な電気光学装置であって、
前記画素回路は、
前記複数色ある原色の各原色毎にそれぞれ区画して設けられた、前記遮光素子に前記制御信号に応じた電圧を印加する複数の反射表示用電極と、当該複数の反射表示用電極にそれぞれ対応して設けられた、前記反射表示用電極に前記制御信号を供給するための複数の第１のトランジスタと、を含んで成る第１の画素構成部と、
前記遮光素子に前記制御信号に応じた電圧を印加する透過表示用電極と、当該透過表示用電極に前記制御信号を供給するための第２のトランジスタと、を含んで成る第２の画素構成部と、を含んだ構成となっており、
前記第１のトランジスタ及び前記第２のトランジスタにおける、それぞれの信号入力端子に前記走査線が接続されるようになっており、
前記第１のトランジスタ及び前記第２のトランジスタにおける、それぞれの電流入力端子に前記データ線が接続されるようになっており、
前記画素マトリクスの前記複数の走査線にそれぞれ対応する各行又は各列における前記画素回路群の、前記複数の第１のトランジスタのそれぞれの電流入力端子及び前記第２のトランジスタの電流入力端子に、前記複数のデータ線のうち共通のデータ線を接続したことを特徴とする電気光学装置。
【請求項７】
前記第１の画素構成部においては、前記カラー画像を表示する１フレームの期間内において、前記データ線駆動回路により、前記複数色ある原色の各色毎に対応した表示画像データに係る前記制御信号の供給を、前記複数の第１のトランジスタに対してそれぞれ各色毎に順番に時分割で行うことで、前記カラー画像の色表現を行い、
前記第２の画素構成部においては、前記カラー画像を表示する１フレームの期間内において、前記データ線駆動回路により、前記複数色ある原色の各色毎に対応した表示画像データに係る前記制御信号の供給を、前記第２のトランジスタに対して各色毎に順番に時分割で行うと共に、前記光源による各原色光の発光を、前記各色毎に対応した前記制御信号の供給に合わせて時分割に切り替えることで、前記カラー画像の色表現を行うようになっていることを特徴とする請求項６記載の電気光学装置。
【請求項８】
前記第１のトランジスタの電流入力端子及び前記第２のトランジスタの電流入力端子に対して、共通の前記データ線が接続されている場合に、
前記データ線駆動回路は、前記第１のトランジスタ及び前記第２のトランジスタに対して時分割で行う前記制御信号の供給を、前記共通のデータ線を介してそれぞれ同じタイミングで行うことを特徴とする請求項５又は請求項７記載の電気光学装置。
【請求項９】
前記光源の発光期間を制御することにより、発光輝度を制御するようになっていることを特徴とする請求項５、請求項７及び請求項８のいずれか１項に記載の電気光学装置。
【請求項１０】
印加電圧に応じて遮光する遮光素子と、
遮光素子の裏面に配置した光源と、
遮光素子の裏面に配置した反射部材と、
遮光素子のうち反射部材に対応する位置に設け且つ遮光素子の印加電圧を制御する第１のトランジスタと、
遮光素子のうち反射部材に対応する位置に設け且つ遮光素子の印加電圧を制御する第２のトランジスタと、を備え、
第１のトランジスタの信号入力端子及び第２のトランジスタの信号入力端子を共通の信号線で接続したことを特徴とする画素回路。
【請求項１１】
第１のトランジスタの電流入力端子及び第２のトランジスタの電流入力端子を共通の信号線で接続したことを特徴とする請求項１０記載の画素回路。
【請求項１２】
印加電圧に応じて遮光する遮光素子と、
遮光素子の裏面に配置した光源と、
遮光素子の裏面に配置した反射部材と、
遮光素子のうち反射部材に対応する位置に設け且つ遮光素子の印加電圧を制御する第１のトランジスタと、
遮光素子のうち反射部材に対応する位置に設け且つ遮光素子の印加電圧を制御する第２のトランジスタと、を備え、
第１のトランジスタの電流入力端子及び第２のトランジスタの電流入力端子を共通の信号線で接続したことを特徴とする画素回路。
【発明の詳細な説明】
【技術分野】
【０００１】
本発明は、液晶表示装置に係り、特に、反射型の表示機能と透過型の表示機能とを備えたアクティブマトリックス駆動方式の液晶表示装置に好適な構造の画素回路を備えた電気光学装置に関する。
【背景技術】
【０００２】
従来、液晶セルの表面側から入射された光を反射した反射光により液晶セルを介して画像表示を行う反射型表示機能と、発光光源によって液晶セルの裏面側から入射した光により液晶セルを介して画像表示を行う透過型表示機能と、を備えた液晶表示装置として、特許文献１の半透過型液晶表示装置が開示されている。
特許文献１の半透過型液晶表示装置は、一対の基板と、この基板間に挟持された液晶層と、基板の一方の液晶層と向かい合った表面に配された画素電極と、他方の基板の液晶層と向かい合った表面に配された対向電極と、基板の液晶層と向かい合った表面を被覆する配向膜とを備えた半透過型液晶表示パネルにおいて、画素電極としての反射表示用電極および透過表示用電極が、他方の基板までの距離が互いに異なるように配され、反射表示用電極上の領域（反射表示領域）であって、反射表示用電極に面した液晶層表面の液晶分子を、基板の主面に平行であってそれらが位置する面内の透過表示用電極上の領域（透過表示領域）の液晶分子と同じ方向に配向させたものである。
【０００３】
また、上記特許文献１の半透過型液晶表示装置においては、透過表示を行うときにカラーフィルタを使用せずに、各種原色光を発光するバックライトを使用して時分割で原色光の発光色を切り変えてカラー表示を行う構成が記載されている。
【特許文献１】特開２００２−２０７２２７号公報
【発明の開示】
【発明が解決しようとする課題】
【０００４】
しかしながら、上記したように時分割でバックライトの原色光を切り替えてカラー表示を行うような構成にすると、時分割駆動するためのドライバ、表示部用のソース信号線、ゲート信号線等が必要となり、駆動回路が複雑になると共に、開口率が下がるという問題も発生する。上記特許文献１においては、液晶のセル厚や配向などの構造についての記述はあるが、これらの問題点については触れられていない。
【０００５】
そこで、本発明は、このような従来の技術の有する未解決の課題に着目してなされたものであって、反射型表示機能及び透過型表示機能の両方を備えたアクティブマトリックス駆動方式の液晶表示装置に好適な構造の画素回路を備えた電気光学装置を提供することを目的としている。
【課題を解決するための手段】
【０００６】
〔発明１〕  上記目的を達成するために、発明１の電気光学装置は、画素回路がマトリクス状に配列された画素マトリクスと、
前記画素マトリクスに対応する遮光素子と、
前記画素マトリクスの行方向及び列方向のうち一方に沿って配列された画素回路群にそれぞれ接続する複数の走査線と、
前記画素マトリクスの行方向及び列方向のうち他方に沿って配列された画素回路群にそれぞれ接続する複数のデータ線と、
前記複数の走査線に接続し且つ前記画素マトリクスの１つの行及び列のいずれかを順次選択する走査線駆動回路と、
表示画像データに基づき前記画素回路を制御する制御信号を生成し、当該生成した制御信号を前記複数のデータ線のうち少なくとも１つのデータ線に供給するデータ線駆動回路と、
前記遮光素子の表面側から入射された入射光を反射する入射光反射手段と、
カラー画像を表示するための、原色となる複数色のそれぞれに対応した原色光を発光する自己発光型の光源と、を備え、
前記入射光反射手段によって反射された光によって前記遮光素子を介した画像表示が可能で、且つ、前記光源により前記遮光素子の裏面側から入射した光によって前記遮光素子を介した画像表示が可能な電気光学装置であって、
前記画素回路は、
前記複数色ある原色の各原色毎にそれぞれ区画して設けられた、前記遮光素子に前記制御信号に応じた電圧を印加する複数の反射表示用電極と、当該複数の反射表示用電極にそれぞれ対応して設けられた、前記反射表示用電極に前記制御信号を供給するための複数の第１のトランジスタと、を含んで成る第１の画素構成部と、
前記遮光素子に前記制御信号に応じた電圧を印加する透過表示用電極と、当該透過表示用電極に前記制御信号を供給するための、前記複数の第１のトランジスタのそれぞれに一対一に対応して設けられた、複数の第２のトランジスタと、を含んで成る第２の画素構成部と、を含んだ構成となっており、
前記第１のトランジスタ及び前記第２のトランジスタにおける、それぞれの信号入力端子に前記走査線が接続されるようになっており、
前記第１のトランジスタ及び前記第２のトランジスタにおける、それぞれの電流入力端子に前記データ線が接続されるようになっており、
前記画素マトリクスの前記複数の走査線にそれぞれ対応する各行又は各列における前記画素回路群の、前記複数の第１のトランジスタ及び前記複数の第２のトランジスタにおける、それぞれ、前記第１のトランジスタの信号入力端子及び当該第１のトランジスタに一対一に対応した前記第２のトランジスタの信号入力端子に、前記複数の走査線のうち共通の走査線を接続したことを特徴としている。
【０００７】
このような構成であれば、画素回路は、第１の画素構成部における、前記複数色ある原色の各原色毎にそれぞれ区画して設けられた複数の反射表示用電極によって、前記遮光素子に前記制御信号に応じた電圧を印加することが可能であり、複数の反射表示用電極にそれぞれ対応して設けられた複数の第１のトランジスタによって、反射表示用電極に前記制御信号を供給することが可能であり、第２の構成部における、透過表示用電極によって、遮光素子に前記制御信号に応じた電圧を印加することが可能であり、複数の第１のトランジスタのそれぞれに一対一に対応して設けられた複数の第２のトランジスタによって、透過表示用電極に前記制御信号を供給することが可能である。
【０００８】
更に、前記画素マトリクスの前記複数の走査線にそれぞれ対応する各行又は各列における前記画素回路群の、前記複数の第１のトランジスタ及び前記複数の第２のトランジスタにおける、それぞれ、前記第１のトランジスタの信号入力端子及び当該第１のトランジスタに一対一に対応した前記第２のトランジスタの信号入力端子に、前記複数の走査線のうち共通の走査線を接続したので、この共通の走査線を介して前記複数の第１のトランジスタ及び前記複数の第２のトランジスタの組に対して前記走査線の選択に係る信号を供給することが可能である。ここで、共通となる走査線は、当該走査線に対応した画素マトリクスの行又は列にある画素回路群に対しても共通となっており、例えば、各走査線が画素マトリクスの各行に対応していた場合は、各行の画素回路群における第１のトランジスタ及び第２のトランジスタの各組毎に共通の走査線がこれらの信号入力端子にそれぞれ接続されることになる。
【０００９】
従って、走査線の対応する各行又は各列の画素回路群における、第１のトランジスタ及び当該第１のトランジスタに一対一に対応した第２のトランジスタの各組毎において、それぞれ共通の走査線を接続したことにより、走査線の総本数を減らすことが可能となるので回路構成等の簡易化やコストの軽減等が可能となる。
ここで、上記遮光素子とは、例えば液晶セルであり、これは、出入りする光を制御する偏光フィルタ、電極部からの電気がほかの部分に漏れないようにする２枚のガラス基板、液晶を駆動するための透明電極、液晶の分子を一定方向に並べるための配向膜、前記２枚のガラス基板の間に注入する液晶等により形成されるものである。本発明の電気光学装置は、反射型表示機能も備えているため、上記遮光素子には、この表面側から入射される光を上記入射光反射手段まで導くための通路が形成されている。これは、以降の発明についても同様である。
〔発明２〕  更に、発明２の電気光学装置は、発明１の電気光学装置において、前記画素マトリクスの前記複数のデータ線にそれぞれ対応する各行又は各列における前記画素回路群の、前記複数の第１のトランジスタのそれぞれの電流入力端子及び前記複数の第２のトランジスタのそれぞれの電流入力端子に、前記複数のデータ線のうち共通のデータ線を接続したことを特徴としている。
【００１０】
つまり、前記画素マトリクスの前記複数のデータ線にそれぞれ対応する各行又は各列における前記画素回路群の、前記複数の第１のトランジスタのそれぞれの電流入力端子及び前記複数の第２のトランジスタのそれぞれの電流入力端子に、前記複数のデータ線のうち共通のデータ線を接続したので、これにより、データ線の総本数を減らすことが可能となるので回路構成等の簡易化やコストの軽減等が可能となる。
【００１１】
ここで、共通となるデータ線は、上記共通となる走査線と同様に、このデータ線に対応した画素マトリクスの行又は列にある画素回路群に対しても共通となっており、例えば、各データ線が画素マトリクスの各列に対応していた場合は、共通したデータ線が、各列の画素回路群における複数の第１のトランジスタ及び複数の第２のトランジスタのそれぞれの電流入力端子に接続されることになる。
〔発明３〕  更に、発明３の電気光学装置は、画素回路がマトリクス状に配列された画素マトリクスと、
前記画素マトリクスに対応する遮光素子と、
前記画素マトリクスの行方向及び列方向のうち一方に沿って配列された画素回路群にそれぞれ接続する複数の走査線と、
前記画素マトリクスの行方向及び列方向のうち他方に沿って配列された画素回路群にそれぞれ接続する複数のデータ線と、
前記複数の走査線に接続し且つ前記画素マトリクスの１つの行及び列のいずれかを順次選択する走査線駆動回路と、
表示画像データに基づき前記画素回路を制御する制御信号を生成し、当該生成した制御信号を前記複数のデータ線のうち少なくとも１つのデータ線に供給するデータ線駆動回路と、
前記遮光素子の表面側から入射された入射光を反射する入射光反射手段と、
カラー画像を表示するための、原色となる複数色のそれぞれに対応した原色光を発光する自己発光型の光源と、を備え、
前記入射光反射手段によって反射された光によって前記遮光素子を介した画像表示が可能で、且つ、前記光源により前記遮光素子の裏面側から入射した光によって前記遮光素子を介した画像表示が可能な電気光学装置であって、
前記画素回路は、
前記複数色ある原色の各原色毎にそれぞれ区画して設けられた、前記遮光素子に前記制御信号に応じた電圧を印加する複数の反射表示用電極と、当該複数の反射表示用電極にそれぞれ対応して設けられた、前記反射表示用電極に前記制御信号を供給するための複数の第１のトランジスタと、を含んで成る第１の画素構成部と、
前記遮光素子に前記制御信号に応じた電圧を印加する透過表示用電極と、当該透過表示用電極に前記制御信号を供給するための、前記複数の第１のトランジスタのそれぞれに一対一に対応して設けられた、複数の第２のトランジスタと、を含んで成る第２の画素構成部と、を含んだ構成となっており、
前記第１のトランジスタ及び前記第２のトランジスタにおける、それぞれの信号入力端子に前記走査線が接続されるようになっており、
前記第１のトランジスタ及び前記第２のトランジスタにおける、それぞれの電流入力端子に前記データ線が接続されるようになっており、
前記画素マトリクスの前記複数の走査線にそれぞれ対応する各行又は各列における前記画素回路群の、前記複数の第１のトランジスタのそれぞれの電流入力端子及び前記複数の第２のトランジスタのそれぞれの電流入力端子に、前記複数のデータ線のうち共通のデータ線を接続したことを特徴としている。
【００１２】
このような構成であれば、画素回路は、第１の画素構成部における、前記複数色ある原色の各原色毎にそれぞれ区画して設けられた複数の反射表示用電極によって、前記遮光素子に前記制御信号に応じた電圧を印加することが可能であり、複数の反射表示用電極にそれぞれ対応して設けられた複数の第１のトランジスタによって、反射表示用電極に前記制御信号を供給することが可能であり、第２の構成部における、透過表示用電極によって、遮光素子に前記制御信号に応じた電圧を印加することが可能であり、複数の第１のトランジスタのそれぞれに一対一に対応して設けられた複数の第２のトランジスタによって、透過表示用電極に前記制御信号を供給することが可能である。
【００１３】
更に、前記画素マトリクスの前記複数のデータ線にそれぞれ対応する各行又は各列における前記画素回路群の、前記複数の第１のトランジスタ及び前記複数の第２のトランジスタにおける、それぞれ、前記第１のトランジスタの電流入力端子及び前記第２のトランジスタの電流入力端子に、前記複数のデータ線のうち共通のデータ線を接続したので、この共通のデータ線を介して、各画素回路群における前記複数の第１のトランジスタ及び前記複数の第２のトランジスタに対して前記制御信号を供給することが可能である。ここで、共通となるデータ線は、当該データ線に対応した画素マトリクスの行又は列にある画素回路群に対しても共通となっており、例えば、各データ線が画素マトリクスの各列に対応していた場合は、各列の画素回路群における複数の第１のトランジスタ及び複数の第２のトランジスタにそれぞれ共通のデータ線がこれらの電流入力端子に接続されることになる。
【００１４】
従って、データ線の対応する各行又は各列の画素回路群における、複数の第１のトランジスタ及び複数の第２のトランジスタの電流入力端子に対して、それぞれ共通のデータ線を接続したことにより、データ線の総本数を減らすことが可能となるので回路構成等の簡易化やコストの軽減等が可能となる。
更に、透過表示用、反射表示用にそれぞれ専用のデータ線があるので、それぞれに最適な信号を供給することが可能であり、これにより、各電極にそれぞれ異なる電圧を印加することが可能となる。
〔発明４〕  更に、発明４の電気光学装置は、発明１乃至発明３のいずれか１の電気光学装置において、前記遮光素子への印加電圧を保持する電圧保持手段を前記各第１のトランジスタ毎にそれぞれ設け、前記電圧保持手段を複数の前記第２のトランジスタに共通して設けたことを特徴としている。
【００１５】
つまり、電圧保持手段によって遮光素子に印加する電圧を保持することで、供給される制御信号に応じて、遮光素子の光透過時間を制御することが可能となる。
〔発明５〕  更に、発明５の電気光学装置は、発明１乃至発明４のいずれか１の電気光学装置において、前記第１の画素構成部においては、前記カラー画像を表示する１フレームの期間内において、前記データ線駆動回路により、前記複数色ある原色の各色毎に対応した表示画像データに係る前記制御信号の供給を、前記複数の第１のトランジスタに対してそれぞれ各色毎に順番に時分割で行うことで、前記カラー画像の色表現を行い、
前記第２の画素構成部においては、前記カラー画像を表示する１フレームの期間内において、前記データ線駆動回路により、前記複数色ある原色の各色毎に対応した表示画像データに係る前記制御信号の供給を、前記複数の第２のトランジスタに対してそれぞれ各色毎に順番に時分割で行うと共に、前記光源による各原色光の発光を、前記各色毎に対応した前記制御信号の供給に合わせて時分割に切り替えることで、前記カラー画像の色表現を行うようになっていることを特徴としている。
【００１６】
つまり、前記第１の画素構成部においては、前記カラー画像を表示する１フレームの期間内において、前記データ線駆動回路により、前記複数色ある原色の各色毎に対応した表示画像データに係る前記制御信号の供給を、前記複数の第１のトランジスタに対してそれぞれ各色毎に順番に時分割で行うことで、前記カラー画像の色表現を行うことが可能であり、前記第２の画素構成部においては、前記カラー画像を表示する１フレームの期間内において、前記データ線駆動回路により、前記複数色ある原色の各色毎に対応した表示画像データに係る前記制御信号の供給を、前記複数の第２のトランジスタに対してそれぞれ各色毎に順番に時分割で行うと共に、前記光源による各原色光の発光を、前記各色毎に対応した前記制御信号の供給に合わせて時分割に切り替えることで、前記カラー画像の色表現を行うことが可能である。
【００１７】
従って、回路構成が複雑になる時分割型のカラー画像表示方式において、走査線の共通化、データ線の共通化を行うことになるので、各線の減少、各駆動回路の共通化等により回路の複雑化を緩和することが可能となる。
〔発明６〕  更に、発明６の電気光学装置は、画素回路がマトリクス状に配列された画素マトリクスと、
前記画素マトリクスに対応する遮光素子と、
前記画素マトリクスの行方向及び列方向のうち一方に沿って配列された画素回路群にそれぞれ接続する複数の走査線と、
前記画素マトリクスの行方向及び列方向のうち他方に沿って配列された画素回路群にそれぞれ接続する複数のデータ線と、
前記複数の走査線に接続し且つ前記画素マトリクスの１つの行及び列のいずれかを順次選択する走査線駆動回路と、
表示画像データに基づき前記画素回路を制御する制御信号を生成し、当該生成した制御信号を前記複数のデータ線のうち少なくとも１つのデータ線に供給するデータ線駆動回路と、
前記遮光素子の表面側から入射された入射光を反射する入射光反射手段と、
カラー画像を表示するための、原色となる複数色のそれぞれに対応した原色光を発光する自己発光型の光源と、を備え、
前記入射光反射手段によって反射された光によって前記遮光素子を介した画像表示が可能で、且つ、前記光源により前記遮光素子の裏面側から入射した光によって前記遮光素子を介した画像表示が可能な電気光学装置であって、
前記画素回路は、
前記複数色ある原色の各原色毎にそれぞれ区画して設けられた、前記遮光素子に前記制御信号に応じた電圧を印加する複数の反射表示用電極と、当該複数の反射表示用電極にそれぞれ対応して設けられた、前記反射表示用電極に前記制御信号を供給するための複数の第１のトランジスタと、を含んで成る第１の画素構成部と、
前記遮光素子に前記制御信号に応じた電圧を印加する透過表示用電極と、当該透過表示用電極に前記制御信号を供給するための第２のトランジスタと、を含んで成る第２の画素構成部と、を含んだ構成となっており、
前記第１のトランジスタ及び前記第２のトランジスタにおける、それぞれの信号入力端子に前記走査線が接続されるようになっており、
前記第１のトランジスタ及び前記第２のトランジスタにおける、それぞれの電流入力端子に前記データ線が接続されるようになっており、
前記画素マトリクスの前記複数の走査線にそれぞれ対応する各行又は各列における前記画素回路群の、前記複数の第１のトランジスタのそれぞれの電流入力端子及び前記第２のトランジスタの電流入力端子に、前記複数のデータ線のうち共通のデータ線を接続したことを特徴としている。
【００１８】
このような構成であれば、画素回路は、第１の画素構成部における、前記複数色ある原色の各原色毎にそれぞれ区画して設けられた複数の反射表示用電極によって、前記遮光素子に前記制御信号に応じた電圧を印加することが可能であり、複数の反射表示用電極にそれぞれ対応して設けられた複数の第１のトランジスタによって、反射表示用電極に前記制御信号を供給することが可能であり、第２の構成部における、透過表示用電極によって、遮光素子に前記制御信号に応じた電圧を印加することが可能であり、第２のトランジスタによって、透過表示用電極に前記制御信号を供給することが可能である。
【００１９】
更に、前記画素マトリクスの前記複数のデータ線にそれぞれ対応する各行又は各列における前記画素回路群の、前記複数の第１のトランジスタ及び前記第２のトランジスタにおける、それぞれ、前記複数の第１のトランジスタのそれぞれの電流入力端子及び前記第２のトランジスタの電流入力端子に、前記複数のデータ線のうち共通のデータ線を接続したので、この共通のデータ線を介して、各画素回路群における前記複数の第１のトランジスタ及び前記第２のトランジスタに対して前記制御信号を供給することが可能である。ここで、共通となるデータ線は、当該データ線に対応した画素マトリクスの行又は列にある画素回路群に対しても共通となっており、例えば、各データ線が画素マトリクスの各列に対応していた場合は、各列の画素回路群における複数の第１のトランジスタ及び第２のトランジスタにそれぞれ共通のデータ線がこれらの電流入力端子に接続されることになる。
【００２０】
従って、データ線の対応する各行又は各列の画素回路群における、複数の第１のトランジスタ及び第２のトランジスタの電流入力端子に対して、それぞれ共通のデータ線を接続したことにより、データ線の総本数を減らすことが可能となるので回路構成等の簡易化やコストの軽減等が可能となる。
〔発明７〕  更に、発明７の電気光学装置は、発明６の電気光学装置において、前記第１の画素構成部においては、前記カラー画像を表示する１フレームの期間内において、前記データ線駆動回路により、前記複数色ある原色の各色毎に対応した表示画像データに係る前記制御信号の供給を、前記複数の第１のトランジスタに対してそれぞれ各色毎に順番に時分割で行うことで、前記カラー画像の色表現を行い、
前記第２の画素構成部においては、前記カラー画像を表示する１フレームの期間内において、前記データ線駆動回路により、前記複数色ある原色の各色毎に対応した表示画像データに係る前記制御信号の供給を、前記第２のトランジスタに対して各色毎に順番に時分割で行うと共に、前記光源による各原色光の発光を、前記各色毎に対応した前記制御信号の供給に合わせて時分割に切り替えることで、前記カラー画像の色表現を行うようになっていることを特徴としている。
【００２１】
つまり、前記第１の画素構成部においては、前記カラー画像を表示する１フレームの期間内において、前記データ線駆動回路により、前記複数色ある原色の各色毎に対応した表示画像データに係る前記制御信号の供給を、前記複数の第１のトランジスタに対してそれぞれ各色毎に順番に時分割で行うことで、前記カラー画像の色表現を行うことが可能であり、前記第２の画素構成部においては、前記カラー画像を表示する１フレームの期間内において、前記データ線駆動回路により、前記複数色ある原色の各色毎に対応した表示画像データに係る前記制御信号の供給を、前記第２のトランジスタに対して各色毎に順番に時分割で行うと共に、前記光源による各原色光の発光を、前記各色毎に対応した前記制御信号の供給に合わせて時分割に切り替えることで、前記カラー画像の色表現を行うことが可能である。
【００２２】
従って、回路構成が複雑になる時分割型のカラー画像表示方式において、データ線の共通化を行うことになるので、データ線の減少、データ線駆動回路の共通化等により回路の複雑化を緩和することが可能となる。
〔発明８〕  更に、発明８の電気光学装置は、発明５又は発明７の電気光学装置において、前記第１のトランジスタの電流入力端子及び前記第２のトランジスタの電流入力端子に対して、共通の前記データ線が接続されている場合に、
前記データ線駆動回路は、前記第１のトランジスタ及び前記第２のトランジスタに対して時分割で行う前記制御信号の供給を、前記共通のデータ線を介してそれぞれ同じタイミングで行うことを特徴としている。
【００２３】
つまり、前記第１のトランジスタの電流入力端子及び前記第２のトランジスタの電流入力端子に対して、共通の前記データ線が接続されている場合に、前記データ線駆動回路は、前記第１のトランジスタ及び前記第２のトランジスタに対して時分割で行う前記制御信号の供給を、前記共通のデータ線を介してそれぞれ同じタイミングで行う。これにより、反射型及び透過型の各画素構成部に対するデータ線駆動回路を共通化することが可能となり、回路構成の簡易化等が可能となる。
〔発明９〕  更に、発明９の電気光学装置は、発明５、発明７及び発明８のいずれか１の電気光学装置において、前記光源の発光期間を制御することにより、発光輝度を制御するようになっていることを特徴としている。
【００２４】
つまり、光源を利用した透過型の表示において、光源の発光期間を制御することにより、発光輝度を制御することが可能である。これにより、画面の発光輝度を変化させることが可能である。
〔発明１０〕  更に、発明１０の画素回路は、印加電圧に応じて遮光する遮光素子と、
遮光素子の裏面に配置した光源と、
遮光素子の裏面に配置した反射部材と、
遮光素子のうち反射部材に対応する位置に設け且つ遮光素子の印加電圧を制御する第１のトランジスタと、
遮光素子のうち反射部材に対応する位置に設け且つ遮光素子の印加電圧を制御する第２のトランジスタと、を備え、
第１のトランジスタの信号入力端子及び第２のトランジスタの信号入力端子を共通の信号線で接続したことを特徴としている。
【００２５】
ここで、本発明は、上記発明１の電気光学装置に適用可能なものであり、その作用効果は重複するので記載を省略する。
〔発明１１〕  更に、発明１１の画素回路は、発明１０の画素回路において、第１のトランジスタの電流入力端子及び第２のトランジスタの電流入力端子を共通の信号線で接続したことを特徴としている。
【００２６】
ここで、本発明は、上記発明２の電気光学装置に適用可能なものであり、その作用効果は重複するので記載を省略する。
〔発明１２〕  更に、発明１２の画素回路は、印加電圧に応じて遮光する遮光素子と、
遮光素子の裏面に配置した光源と、
遮光素子の裏面に配置した反射部材と、
遮光素子のうち反射部材に対応する位置に設け且つ遮光素子の印加電圧を制御する第１のトランジスタと、
遮光素子のうち反射部材に対応する位置に設け且つ遮光素子の印加電圧を制御する第２のトランジスタと、を備え、
第１のトランジスタの電流入力端子及び第２のトランジスタの電流入力端子を共通の信号線で接続したことを特徴としている。
【００２７】
ここで、本発明は、上記発明６の電気光学装置に適用可能なものであり、その作用効果は重複するので記載を省略する。
【発明を実施するための最良の形態】
【００２８】
以下、本発明の実施の形態を図面に基づき説明する。図１〜図１２は、本発明に係る電気光学装置の実施の形態を示す図である。
まず、本発明に係る電気光学装置の構成を図１に基づき説明する。図１は、本発明に係る電気光学装置の構成を示すブロック図である。
電気光学装置１は、図１に示すように、液晶セルを画素単位で駆動可能な画素回路がマトリクス状に配設された表示パネル１０と、表示パネル１０のデータ線を駆動するデータ線駆動回路１１と、表示パネル１０の走査線を駆動する走査線駆動回路１２と、カラー画像を表示するための原色光を発光する原色発光装置１３と、コンピュータ２から供給される表示画像データを記憶するメモリ１４と、電気光学装置１内の各構成要素を制御するための制御回路１５と、電気光学装置１内の各構成要素に電源を供給する電源回路１６と、を含んだ構成となっている。
【００２９】
ここで、表示パネル１０は、液晶セルと、当該液晶セルの表面側から入射される入射光を液晶セルの裏面側に通過させるための通路と、この通路を介して入射された光を反射する反射膜と、を含んだ構成となっている。なお、反射膜は液晶セルと同一体としても良い。
また、原色発光装置１３は、ＲＧＢの各原色に対応した色の光をそれぞれ発光するバックライトを備えたものである。
【００３０】
更に、図２〜図６に基づき、本発明の第１の実施の形態を説明する。
図２は、本発明の第１の実施の形態における画素回路１００の内部構成を示す図であり、図３は、表示パネル１０における画素回路１００の接続構成を示す図であり、図４は、第１の実施の形態における電気光学装置の動作を示すタイミングチャートであり、図５は、発光期間の制御による発光輝度制御時の電気光学装置１の動作を示すタイミングチャートであり、図６は、サブフレームにおけるカラー画像の表示状態を示す図である。
【００３１】
まず、図２に基づき、画素回路１００の内部構成を説明する。
図２に示すように、画素回路１００は、透過表示用電極１０００と、第１の画素トランジスタ１００１と、第２の画素トランジスタ１００２と、第３の画素トランジスタ１００３と、第１の反射表示用電極１１００と、第２の反射表示用電極１１０１と、第３の反射表示用電極１１０２と、第４の画素トランジスタ１１０３と、第５の画素トランジスタ１１０４と、第６の画素トランジスタ１１０５と、を含んだ構成となっている。
【００３２】
第１〜第３の反射表示用電極１１００〜１１０２は、各電極上にＲＧＢの３原色にそれぞれ対応したカラーフィルタが形成されており、第１の反射表示用電極１１００には赤色のカラーフィルターが形成され、第２の反射表示用電極１１０１には緑色のカラーフィルタが形成され、第３の反射表示用電極１１０２には青色のカラーフィルタが形成されている。本実施の形態においては、これら赤緑青（ＲＧＢ）のカラーフィルタによって、上記反射膜により反射された反射光から各原色光を生成する。
【００３３】
更に、第１〜第３の画素トランジスタ１００１〜１００３及び第４〜第６の画素トランジスタ１１０３〜１１０５の各ソースには、これらのトランジスタに共通のデータ線２００が接続された構成となっている。
更に、第１の画素トランジスタ１００１及び第４の画素トランジスタ１１０３の各ゲートには、これらに共通の走査線３００が接続され、第２の画素トランジスタ１００２及び第５の画素トランジスタ１１０４の各ゲートには、これらに共通の走査線３０１が接続され、第３のトランジスタ１００３及び第６のトランジスタ１１０５の各ゲートには、これらに共通の走査線３０２が接続された構成となっている。
【００３４】
更に、第１〜第３の画素トランジスタ１００１〜１００３の各ドレインは、図示しない第１の画素コンデンサ１００４を介して透過表示用電極１０００に接続され、第４〜第６の画素トランジスタ１１０３〜１１０５の各ドレインは、図示しない、第２〜第４の画素コンデンサ１１０６〜１１０８をそれぞれ介して第１〜第３の反射表示用電極１１００〜１１０２にそれぞれ接続された構成となっている。つまり、これら画素コンデンサによって、各トランジスタのソースを介して供給された制御信号に応じた電圧を保持し、この保持された電圧が各電極を介して液晶セルに印加される。
【００３５】
更に、図３に基づき、表示パネル１０における画素回路１００の接続構成を説明する。
図３に示すように、複数の画素回路１００が、これらに共通の走査線３００〜３０２をそれぞれ介して行方向に接続され、複数の画素回路１００が、これらに共通のデータ線２００をそれぞれ介して列方向に接続された構成となっている。つまり、複数の画素回路１００が、各行毎に共通の３本の走査線３００〜３０２及び各列毎に共通の１本のデータ線２００を介してマトリクス状に配列された構成となっている。
【００３６】
更に、第１の実施の形態における電気光学装置１の具体的な動作を説明する。
電気光学装置１は、コンピュータ２からカラー画像データを取得すると、まずこれをメモリ１４に記憶する。メモリ１４にカラー画像データが記憶されると、データ制御回路１５は、前記メモリ１４に記憶されたカラー画像データを表示するために、クロック信号等の、動作タイミングを合わせるための各種信号をデータ線駆動回路１１及び走査線駆動回路１２にそれぞれ供給する。これにより、走査線駆動回路１２は、表示パネル１０における上記マトリクスの最初の行から順に、各行に対応する画素回路１００に対して、上記した走査線３００〜３０２を介して走査線選択信号を供給する。この走査線選択信号の供給によって、画素回路１００の第１〜第３の画素トランジスタ１００１〜１００３及び第４〜第６の画素トランジスタ１１０３〜１１０５のゲートに電流が流れ、これらトランジスタがオン（開）状態となる。
【００３７】
更に、データ線駆動回路１１は、上記した第１〜第６のトランジスタのオン状態に合わせて、走査線駆動回路１２によって選択された各走査線に対応する画素回路１００に、カラー画像データにおけるＲＧＢの各原色に対応したデータに係る制御信号を、上記共通のデータ線２００を介して、第１〜第６のトランジスタのソースに供給する。
ここで、本実施の形態においては、透過表示用電極１０００によって電圧の印加された液晶に対して、原色発光装置１３により、液晶セルの裏面側からＲＧＢに対応したそれぞれの原色光を時分割で切り替えて発光させることにより、カラー画像の色表現を行うようになっている。
【００３８】
一方、第１〜第３の反射表示用電極１１００〜１１０２による画像表示においては、液晶セルの表面側から入射される光を反射膜によって反射し、この反射光を第１〜第３の反射表示用電極１１００〜１１０２に形成されたＲＧＢの各原色に対応したカラーフィルタを通すことで原色光を生成し、この原色光を、第１〜第３の反射表示用電極１１００〜１１０２によって電圧の印加された液晶を透過させることにより、カラー画像の色表現を行うようになっている。
【００３９】
更に、本実施の形態においては、透過表示用電極１０００による透過表示及び第１〜第３の反射表示用電極１１００〜１１０２による反射表示の双方に対して共通のデータ線駆動回路１１及び共通の走査線駆動回路１２が使用されている。そして、この共通のデータ線駆動回路１１によって、第１の画素トランジスタ１００１及び第４の画素トランジスタ１１０３への制御信号の供給と、第２の画素トランジスタ１００２及び第５の画素トランジスタ１１０４への制御信号の供給と、第３の画素トランジスタ１００３及び第６の画素トランジスタ１１０５への制御信号の供給と、をそれぞれ同じタイミングで行うようになっている。詳しくは、カラー画像を表示する１フレームの期間を３つの均等なサブフレーム（ＳＦ１〜ＳＦ３）の期間に分割し、各サブフレームの期間の先頭において、各トランジスタにカラー画像データのＲＧＢの各原色の順に、それぞれの原色に対応した画像データに係る制御信号を供給するようになっている。
【００４０】
従って、図４のタイミングチャートに示すように、走査線駆動回路１２は、各サブフレームの先頭に同期して走査線３００〜３０２を順次選択し、データ線駆動回路１１は、走査線駆動回路１２によって選択された走査線３００〜３０２に対応する各トランジスタに制御信号を供給することになる。
即ち、まず、サブフレームＳＦ１の先頭において、第１の画素トランジスタ１００１及び第４の画素トランジスタ１１０３に原色の赤色に対応する制御信号が供給され、この供給後に原色表示装置１３により赤色のバックライトが点灯される。次に、サブフレームＳＦ２の先頭において、第２の画素トランジスタ１００２及び第５の画素トランジスタ１１０４に原色の緑色に対応する制御信号が供給され、この供給後に原色表示装置１３により緑色のバックライトが点灯される。更に、サブフレームＳＦ３の先頭において、第３の画素トランジスタ１００３及び第６の画素トランジスタ１１０５に原色の青色に対応する制御信号が供給され、この供給後に原色表示装置１３により青色のバックライトが点灯される。ここで、本実施の形態において、各サブフィールドにおけるバックライトの点灯は、表示パネル１０の全ての画素回路１００に対する各原色に対する制御信号の供給処理が行われた後に一度に行われる。このようにして、１フレームの期間において、１枚のカラー画像の表示が行われる。
【００４１】
更に、図５に基づき、透過表示時の発光輝度の制御方法について説明する。
透過表示用電極１０００及び原色発光装置１３により画像の透過表示を行う際に、図５に示すように、各サブフレームＳＦ１〜ＳＦ３の期間において、各原色のバックライトの点灯時間を制御することにより、輝度の調整を行うことが可能である。例えば、図５に示すように、点灯時間を短くすることにより輝度を低くすることができ、点灯時間を長くすることにより輝度を高くすることができる。
【００４２】
更に、図６に基づき、反射表示及び透過表示の発光時間について説明する。
図６に示すように、第１〜第３の反射表示用電極１１００〜１１０２による反射表示時の発光期間は、第１〜第３の反射表示用電極１１００〜１１０２にそれぞれ対応した第１〜第３の画素コンデンサ１１０６〜１１０８によって、各原色に対応した制御信号に応じた電圧値が保持されている間となる。従って、現在のフレームにおける発光は、次のフレームにおける別の画像に対する制御信号が供給されるまで続くことになる。一方、透過表示用電極１０００及び原色発光装置１３による透過表示時の発光期間は、各原色に対する制御信号の供給後に、輝度の強弱に応じて任意の期間の発光が可能となっている。図６では、前のフレームにおけるバックライトの発光が現在のフレームの画像表示に影響を与えないような期間の発光となっている。
【００４３】
以上、上記第１の実施の形態によれば、複数の画素回路１００が、これらに共通の走査線３００〜３０２をそれぞれ介して行方向に接続され、複数の画素回路１００が、これらに共通のデータ線２００をそれぞれ介して列方向に接続された構成となっている。
また、第１〜第３の画素トランジスタ１００１〜１００３及び第４〜第６の画素トランジスタ１１０３〜１１０６に対する、走査線選択信号及び制御信号の供給に、共通のデータ線駆動回路１１及び共通の走査線駆動回路１２を用いている。
【００４４】
なお、図２に示す、画素回路１００の構成において、データ線２００のみを共通にし、走査線を第１〜第３の画素トランジスタ１００１〜１００３に対してそれぞれ３本、第４〜第６の画素トランジスタ１１０３〜１１０５に対してそれぞれ３本の合計６本接続する構成としても良い。これにより、第１〜第６の画素トランジスタのそれぞれのゲートに入力する信号をそれぞれ任意に別なものとすることが可能となる。
【００４５】
更に、図７及び図８に基づき、本発明の第２の実施の形態を説明する。
図７は、本発明の第２の実施の形態における画素回路４００の内部構成を示す図であり、図８は、表示パネル１０における画素回路４００の接続構成を示す図である。ここで、上記実施の形態における画素回路１００と同じ構成部については同じ符号を付し、説明を省略する。
【００４６】
まず、図７に基づき、画素回路４００の内部構成を説明する。
画素回路４００は、透過表示用電極１０００と、第１の画素トランジスタ１００１と、第２の画素トランジスタ１００２と、第３の画素トランジスタ１００３と、第１の反射表示用電極１１００と、第２の反射表示用電極１１０１と、第３の反射表示用電極１１０２と、第４の画素トランジスタ１１０３と、第５の画素トランジスタ１１０４と、第６の画素トランジスタ１１０５と、を含んだ構成となっている。
【００４７】
以下、上記した第１の実施の形態における画素回路１００と異なる構成部分を説明する。
本実施の形態においては、画素回路４００における、第１〜第３の画素トランジスタ１００１〜１００３の各ソースには、これらのトランジスタに共通の第１のデータ線２０１が接続され、一方、第４〜第６の画素トランジスタ１１０３〜１１０５の各ソースには、これらのトランジスタに共通の第２のデータ線２０２が接続された構成となっている。
【００４８】
これ以外の走査線２００の接続構成や画素コンデンサを介した各電極への接続構成等については、上記した画素回路４００と同様であるので記載を省略する。
更に、図８に基づき、表示パネル１０における画素回路４００の接続構成を説明する。
図８に示すように、複数の画素回路４００が、これらに共通の走査線３００〜３０２をそれぞれ介して行方向に接続され、複数の画素回路４００が、これらに共通の第１のデータ線２０１及び第２のデータ線２０２をそれぞれ介して列方向に接続された構成となっている。つまり、複数の画素回路４００が、各行毎に共通の３本の走査線３００〜３０２及び各列毎に共通の第１及び第２のデータ線２０１及び２０２の２本のデータ線をそれぞれ介してマトリクス状に配列された構成となっている。
【００４９】
更に、第２の実施の形態における電気光学装置１の具体的な動作を説明する。
電気光学装置１は、コンピュータ２からカラー画像データを取得すると、まずこれをメモリ１４に記憶する。メモリ１４にカラー画像データが記憶されると、データ制御回路１５は、前記メモリ１４に記憶されたカラー画像データを表示するために、クロック信号等の、動作タイミングを合わせるための各種信号をデータ線駆動回路１１及び走査線駆動回路１２にそれぞれ供給する。これにより、走査線駆動回路１２は、表示パネル１０における上記マトリクスの最初の行から順に、各行に対応する画素回路４００に対して、上記した走査線３００〜３０２を介して走査線選択信号を供給する。この走査線選択信号の供給によって、画素回路４００の第１〜第３の画素トランジスタ１００１〜１００３及び第４〜第６の画素トランジスタ１１０３〜１１０５のゲートに電流が流れ、これらトランジスタがオン（開）状態となる。
【００５０】
更に、データ線駆動回路１１は、上記した第１〜第６のトランジスタのオン状態に合わせて、走査線駆動回路１２によって選択された各走査線に対応する画素回路４００に、カラー画像データにおけるＲＧＢの各原色に対応したデータに係る制御信号を、上記共通の第１及び第２のデータ線２０１及び２０２を介して、第１〜第６のトランジスタのソースに供給する。
【００５１】
本実施の形態においては、上記したように、透過表示用のトランジスタと反射表示用のトランジスタに対して、第１及び第２のデータ線２０１及び２０２をそれぞれ接続するようにしたので、このデータ線駆動回路１１による制御信号の供給は、第１の画素トランジスタ１００１及び第４の画素トランジスタ１１０３への制御信号の供給と、第２の画素トランジスタ１００２及び第５の画素トランジスタ１１０４への制御信号の供給と、第３の画素トランジスタ１００３及び第６の画素トランジスタ１１０５への制御信号の供給と、をそれぞれ同じタイミングで行うことが可能な他、これらへの制御信号の供給をそれぞれ異なるタイミングで行うことも可能となっている。
【００５２】
以上、上記第２の実施の形態によれば、複数の画素回路４００が、これらに共通の走査線３００〜３０２をそれぞれ介して行方向に接続され、複数の画素回路４００が、これらに共通の第１及び第２のデータ線２０１及び２０２をそれぞれ介して列方向に接続された構成となっている。
また、透過表示用と反射表示用とで、第１及び第２のデータ線２０１及び２０２といった、それぞれ別々のデータ線を有するので、第１〜第３の画素トランジスタ１００１〜１００３及び第４〜第６の画素トランジスタ１１０３〜１１０６に対する制御信号の供給を、上記した各組ごとに同じタイミングで供給したり、それぞれ別々のタイミングで供給したりすることが可能である。
【００５３】
ここで、動作タイミングチャートは上記した第１の実施の形態における画素回路１００を適用した電気光学装置１と同様であるので記載を省略する。
更に、図９〜図１２に基づき、本発明の第３の実施の形態を説明する。
図９は、本発明の第３の実施の形態における画素回路５００の内部構成を示す図であり、図１０は、表示パネル１０における画素回路５００の接続構成を示す図であり、図１１は、第３の実施の形態における電気光学装置の動作を示す第１のタイミングチャートであり、図１２は、第３の実施の形態における電気光学装置の動作を示す第２のタイミングチャートである。
【００５４】
まず、図９に基づき、画素回路５００の内部構成を説明する。
図９に示すように、画素回路５００は、透過表示用電極１０００と、第７の画素トランジスタ１００５と、第１の反射表示用電極１１００と、第２の反射表示用電極１１０１と、第３の反射表示用電極１１０２と、第４の画素トランジスタ１１０３と、第５の画素トランジスタ１１０４と、第６の画素トランジスタ１１０５と、を含んだ構成となっている。
【００５５】
以下、上記した第１の実施の形態における画素回路１００と異なる構成部分を説明する。
本実施の形態においては、画素回路５００における、第７の画素トランジスタ１００５のゲートには、走査線３０３が接続され、一方、第４〜第６の画素トランジスタ１１０３〜１１０５の各ゲートには、それぞれ走査線３００〜３０２が接続された構成となっている。更に、第７の画素トランジスタ１００５のドレインは、図示しない第１の画素コンデンサ１００４を介して透過表示用電極１０００に接続されている。
【００５６】
これ以外のデータ線の接続構成等については、上記した画素回路１００と同様であるので記載を省略する。
更に、図１０に基づき、表示パネル１０における画素回路５００の接続構成を説明する。
図１０に示すように、複数の画素回路５００が、これらに共通の走査線３００〜３０３をそれぞれ介して行方向に接続され、複数の画素回路５００が、これらに共通のデータ線２００をそれぞれ介して列方向に接続された構成となっている。つまり、複数の画素回路５００が、各行毎に共通の４本の走査線３００〜３０３及び各列毎に共通の１本のデータ線２００を介してマトリクス状に配列された構成となっている。
【００５７】
更に、第３の実施の形態における電気光学装置１の具体的な動作を説明する。
電気光学装置１は、コンピュータ２からカラー画像データを取得すると、まずこれをメモリ１４に記憶する。メモリ１４にカラー画像データが記憶されると、データ制御回路１５は、前記メモリ１４に記憶されたカラー画像データを表示するために、クロック信号等の、動作タイミングを合わせるための各種信号をデータ線駆動回路１１及び走査線駆動回路１２にそれぞれ供給する。これにより、走査線駆動回路１２は、表示パネル１０における上記マトリクスの最初の行から順に、各行に対応する画素回路５００に対して、上記した走査線３００〜３０３を介して走査線選択信号を供給する。この走査線選択信号の供給によって、画素回路５００の第７の画素トランジスタ１００５及び第４〜第６の画素トランジスタ１１０３〜１１０５のゲートに電流が流れ、これらトランジスタがオン（開）状態となる。
【００５８】
更に、データ線駆動回路１１は、上記した第４〜第７のトランジスタのオン状態に合わせて、走査線駆動回路１２によって選択された各走査線に対応する画素回路５００に、カラー画像データにおけるＲＧＢの各原色に対応したデータに係る制御信号を、上記共通のデータ線２００を介して、第４〜第７のトランジスタの各ソースに供給する。
本実施の形態においては、上記したように、透過表示用の第７のトランジスタ１００５に対して走査線３０３を接続し、一方、反射表示用の第４〜第６の画素トランジスタ１１０３〜１１０５に対して走査線３００〜３０２をそれぞれ接続するようにしたので、走査線駆動回路１２による走査線選択信号の供給は、第７の画素トランジスタ１００５、第４〜第６の画素トランジスタ１１０３〜１１０５において、それぞれ異なる走査線を介して行うことになる。
【００５９】
従って、図１１のタイミングチャートに示すように、走査線３００及び走査線３０３を用いた第４の画素トランジスタ１１０３及び第７の画素トランジスタ１００５への走査線選択信号の供給と、走査線３０１及び走査線３０３を用いた第５の画素トランジスタ１１０４及び第７の画素トランジスタ１００５への走査線選択信号の供給と、走査線３０２及び走査線３０３を用いた第６の画素トランジスタ１１０５及び第７の画素トランジスタ１００５への走査線選択信号の供給と、を、それぞれ同じタイミングで行うことで、上記第１の実施の形態と同様に、共通のデータ線駆動回路１１によって、第４の画素トランジスタ１１０３及び第７の画素トランジスタ１００５への制御信号の供給と、第５の画素トランジスタ１１０４及び第７の画素トランジスタ１００５への制御信号の供給と、第６の画素トランジスタ１１０５及び第７の画素トランジスタ１００５への制御信号の供給と、をそれぞれ同じタイミングで行うことが可能である。
【００６０】
更に、これとは他に、図１２のタイミングチャートに示すように、各走査線３００〜３０３による走査線選択信号の供給を、走査線３００（赤）→走査線３０３（赤）→バックライト点灯（赤）→走査線３０１（緑）→走査線３０３（緑）→バックライト点灯（緑）→走査線３０２（青）→走査線３０３（青）→バックライト点灯（青）といったように、それぞれ各原色事に交互に走査線選択信号の供給、各原色に対応した制御信号の供給及びバックライトの点灯を行うことで、１本の共通のデータ線２００を時分割で駆動してカラー画像の表示を行う方法も可能である。
【００６１】
また、透過表示用と反射表示用でそれぞれ走査線が用意されるので、供給する走査線選択信号を、透過表示用と反射表示用でそれぞれ異なるものとすることでゲート駆動時間等の制御も可能である。
以上、上記第３の実施の形態によれば、複数の画素回路５００が、これらに共通の走査線３００〜３０３をそれぞれ介して行方向に接続され、複数の画素回路５００が、これらに共通データ線２００をそれぞれ介して列方向に接続された構成となっている。
【００６２】
ここで、図１に示す、原色発光装置１３は、発明１、３及び６のいずれか１の自己発光型の光源に対応する。
また、図２に示す、画素回路１００は、発明２又は発明１１の画素回路に対応し、図７に示す、画素回路４００は、発明１又は発明１０の画素回路に対応し、図９に示す、画素回路５００は、発明６又は発明１２の画素回路に対応する。
【００６３】
また、図２、７及び９に示す、第１〜第３の画素トランジスタ１００１〜１００３は、発明１〜４，１０及び１１のいずれか１の第２のトランジスタに対応し、第７の画素トランジスタ１００５は、発明６及び１２のいずれか１の第２のトランジスタに対応し、第４〜第６の画素トランジスタ１１０３〜１１０５は、発明１〜７及び発明１０〜１２のいずれか１の第１のトランジスタに対応する。
【００６４】
なお、上記実施の形態においては、画素回路のトランジスタとして電界効果型トランジスタを用いているが、これに限らず、バイポーラ型のトランジスタ等の他の種類のトランジスタを用いても良い。
【図面の簡単な説明】
【００６５】
【図１】本発明に係る電気光学装置の構成を示すブロック図である。
【図２】本発明の第１の実施の形態における画素回路１００の内部構成を示す図である。
【図３】表示パネル１０における画素回路１００の接続構成を示す図である。
【図４】第１の実施の形態における電気光学装置の動作を示すタイミングチャートである。
【図５】発光期間の制御による発光輝度制御時の電気光学装置１の動作を示すタイミングチャートである。
【図６】サブフレームにおけるカラー画像の表示状態を示す図である。
【図７】本発明の第１の実施の形態における画素回路４００の内部構成を示す図である。
【図８】表示パネル１０における画素回路４００の接続構成を示す図である。
【図９】本発明の第３の実施の形態における画素回路５００の内部構成を示す図である。
【図１０】表示パネル１０における画素回路５００の接続構成を示す図である。
【図１１】第３の実施の形態における電気光学装置の動作を示す第１のタイミングチャートである。
【図１２】第３の実施の形態における電気光学装置の動作を示す第２のタイミングチャートである。
【符号の説明】
【００６６】
１…電気光学装置、２…コンピュータ、１０…表示パネル、１１…データ線制御回路、１２…走査線制御回路、１３…原色発光装置、１４…メモリ、１５…データ制御回路、１６…電源回路、１００，４００，５００…画素回路、２００…データ線、２０１、２０２…第１，第２のデータ線、３００〜３０３…走査線、１０００…透過表示用電極、１００１〜１００３…第１〜第３の画素トランジスタ、１００４…第１の画素コンデンサ、１１００〜１１０２…第１〜第３の反射表示用電極、１１０３〜１１０５…第４〜第６の画素トランジスタ、１１０６〜１１０８…第２〜第４の画素コンデンサ
【図１】
2005115139.tif 000003
【図２】
2005115139.tif 000004
【図３】
2005115139.tif 000005
【図４】
2005115139.tif 000006
【図５】
2005115139.tif 000007
【図６】
2005115139.tif 000008
【図７】
2005115139.tif 000009
【図８】
2005115139.tif 000010
【図９】
2005115139.tif 000011
【図１０】
2005115139.tif 000012
【図１１】
2005115139.tif 000013
【図１２】
2005115139.tif 000014